(57)【要約】  二酸化炭素冷媒を使用する場合に冷凍能力を確保すること。同一の回転軸により駆動される第１の回転圧縮要素（１４）と第２の回転圧縮要素（１６）を有する圧縮機（１１）と、ガスクーラ（２８）と、電磁膨張弁（３９）と、蒸発器（４１）とから冷媒回路が構成される冷凍装置（Ｒ）において、電動膨張弁（３３）と、タンク（３６）と、スプリット熱交換器（２９）と、電動膨張弁（４３）と、電動膨張弁（４７）と、電動膨張弁（７０）と、補助回路（４８）と、主回路（３８）と、制御装置（５７）と、補助圧縮機（６０）と、バイパス回路（７３）と、戻し回路（８０）とを備える。補助圧縮機（６０）には、電動膨張弁（７０）およびスプリット熱交換器（２９）の第１の流路（２９Ａ）を経た冷媒、および／または、バイパス回路（７３）を経た冷媒が吸入される。
2017138419.tif 000002
【特許請求の範囲】
【請求項１】
同一の回転軸により駆動される第１の回転圧縮要素と第２の回転圧縮要素を有する圧縮手段と、ガスクーラと、主絞り手段と、蒸発器とから冷媒回路が構成され、二酸化炭素冷媒が用いられる冷凍装置において、
前記圧縮手段とは別に設けられた補助圧縮手段と、
前記ガスクーラの下流側であって、前記主絞り手段の上流側の前記冷媒回路に接続され、前記ガスクーラから流出した冷媒の圧力を調整する圧力調整用絞り手段と、
前記圧力調整用絞り手段の下流側であって、前記主絞り手段の上流側の前記冷媒回路に接続されたタンクと、
前記タンクの下流側であって、前記主絞り手段の上流側の前記冷媒回路に設けられ、第１の流路と第２の流路を有するスプリット熱交換器と、
前記タンクの第１の高さに設けられた第１の配管から流出した冷媒の圧力を調整する第１の補助絞り手段と、
前記第１の高さよりも低い位置に設けられた第２の配管から流出し、前記スプリット熱交換器の前記第２の流路を通過した後、前記第２の流路の下流側で分流した冷媒のうちの第１の冷媒の圧力を調整する第２の補助絞り手段と、
前記第２の配管から流出し、前記スプリット熱交換器の前記第２の流路を通過した後、前記第２の流路の下流側で分流した冷媒のうちの第２の冷媒の圧力を調整する第３の補助絞り手段と、
前記第３の補助絞り手段および前記スプリット熱交換器の前記第１の流路を経た冷媒を前記補助圧縮手段に吸い込ませる補助回路と、
開閉弁が設けられ、前記第１の配管から流出した冷媒を前記補助回路における前記スプリット熱交換器の前記第１の流路の下流側へ流入させる第１のバイパス回路と、
前記第１の補助絞り手段により圧力が調整された冷媒と前記第２の補助絞り手段により圧力が調整された冷媒とが混合した冷媒を前記圧縮手段の中間圧部に吸い込ませる戻し回路と、
前記タンクから流出した冷媒を前記スプリット熱交換器の前記第２の流路に流し、前記スプリット熱交換器の前記第１の流路を流れる冷媒と熱交換させた後、前記第２の流路の下流側で分流した冷媒のうちの第３の冷媒を前記主絞り手段に流入させる主回路と、
前記圧縮手段、前記補助圧縮手段、前記主絞り手段、前記圧力調整用絞り手段、前記第１の補助絞り手段、前記第２の補助絞り手段、前記第３の補助絞り手段、および、前記開閉弁の動作を制御する制御手段と、を備える、
冷凍装置。
【請求項２】
前記開閉弁は、電磁弁であり、
前記制御手段は、
前記第３の補助絞り手段を閉状態にし、かつ、前記電磁弁を開状態にする第１の設定と、前記第３の補助絞り手段を開状態し、かつ、前記電磁弁を閉状態にする第２の設定とを切り替える、
請求項１に記載の冷凍装置。
【請求項３】
前記開閉弁は、電動膨張弁であり、
前記制御手段は、
前記第３の補助絞り手段を開状態にし、かつ、前記電動膨張弁を開状態にする第３の設定を行う、
請求項１に記載の冷凍装置。
【請求項４】
前記補助圧縮手段と、前記蒸発器の下流側かつ前記圧縮手段の上流側に設けられた配管とを接続する第２のバイパス回路をさらに備え、
前記第２のバイパス回路には、逆止弁、または、前記制御手段により開閉が制御される電磁弁が設けられる、
請求項１に記載の冷凍装置。
【請求項５】
前記補助圧縮手段の回転数は可変である、
請求項１に記載の冷凍装置。
【請求項６】
前記補助圧縮手段とは別に、少なくとも１つの補助圧縮手段を備え、
前記少なくとも１つの補助圧縮手段には、
前記補助回路を流れた冷媒が吸い込まれる、
請求項１に記載の冷凍装置。
【請求項７】
前記圧縮手段とは別に、該圧縮手段と並列に、少なくとも１つの圧縮手段を備え、
前記少なくとも１つの圧縮手段の中間圧部には、
前記第１の補助絞り手段により圧力が調整された冷媒と前記第２の補助絞り手段により圧力が調整された冷媒とが混合した冷媒が吸い込まれる、
請求項１に記載の冷凍装置。
【発明の詳細な説明】
【技術分野】
【０００１】
本発明は、圧縮手段と、ガスクーラと、主絞り手段と、蒸発器とから冷媒回路が構成される冷凍装置に関する。
【背景技術】
【０００２】
従来、冷凍装置では、圧縮手段、ガスクーラ、絞り手段、蒸発器等から冷凍サイクルが構成され、圧縮手段で圧縮された冷媒はガスクーラにて放熱し、その後絞り手段にて減圧され、蒸発器にて蒸発する。そして、このときの冷媒の蒸発により周囲の空気が冷却される。【０００３】
近年、この種の冷凍装置では、自然環境問題などからフロン系冷媒が使用できなくなってきている。このため、フロン冷媒の代替品として自然冷媒である二酸化炭素を使用する冷凍装置が開発されている。二酸化炭素冷媒は、高低圧差の激しい冷媒で、臨界圧力が低く、圧縮により冷媒サイクルの高圧側が超臨界状態となることが知られている（例えば、特許文献１参照）。【０００４】
また、給湯機を構成するヒートポンプ装置でも、ガスクーラにて優れた加熱作用が得られる二酸化炭素冷媒が使用されるようになってきており、その場合にガスクーラから出た冷媒を２段膨張させ、各膨張装置の間に気液分離器を介設して、圧縮機にガスインジェクションできるようにするものも開発されている（例えば、特許文献２参照）。
【先行技術文献】
【特許文献】
【０００５】
【特許文献１】特公平７−１８６０２号公報
【特許文献２】特開２００７−１７８０４２号公報
【発明の概要】
【発明が解決しようとする課題】
【０００６】
しかしながら、上述した二酸化炭素冷媒を使用する冷凍装置では、例えばショーケース等に設置された蒸発器において吸熱作用を利用し、庫内を冷却するが、外気温度（ガスクーラ側の熱源温度）が高い等の原因により、ガスクーラ出口の冷媒温度が高くなることがある。この場合、蒸発器入口の比エンタルピーが大きくなるため、冷凍能力が著しく低下する。【０００７】
本発明の目的は、二酸化炭素冷媒を使用する場合に冷凍能力を確保することができる冷凍装置を提供することである。
【課題を解決するための手段】
【０００８】
本発明に係る冷凍装置は、同一の回転軸により駆動される第１の回転圧縮要素と第２の回転圧縮要素を有する圧縮手段と、ガスクーラと、主絞り手段と、蒸発器とから冷媒回路が構成され、二酸化炭素冷媒が用いられる冷凍装置において、前記圧縮手段とは別に設けられた補助圧縮手段と、前記ガスクーラの下流側であって、前記主絞り手段の上流側の前記冷媒回路に接続され、前記ガスクーラから流出した冷媒の圧力を調整する圧力調整用絞り手段と、前記圧力調整用絞り手段の下流側であって、前記主絞り手段の上流側の前記冷媒回路に接続されたタンクと、前記タンクの下流側であって、前記主絞り手段の上流側の前記冷媒回路に設けられ、第１の流路と第２の流路を有するスプリット熱交換器と、前記タンクの第１の高さに設けられた第１の配管から流出した冷媒の圧力を調整する第１の補助絞り手段と、前記第１の高さよりも低い位置に設けられた第２の配管から流出し、前記スプリット熱交換器の前記第２の流路を通過した後、前記第２の流路の下流側で分流した冷媒のうちの第１の冷媒の圧力を調整する第２の補助絞り手段と、前記第２の配管から流出し、前記スプリット熱交換器の前記第２の流路を通過した後、前記第２の流路の下流側で分流した冷媒のうちの第２の冷媒の圧力を調整する第３の補助絞り手段と、前記第３の補助絞り手段および前記スプリット熱交換器の前記第１の流路を経た冷媒を前記補助圧縮手段に吸い込ませる補助回路と、開閉弁が設けられ、前記第１の配管から流出した冷媒を前記補助回路における前記スプリット熱交換器の前記第１の流路の下流側へ流入させる第１のバイパス回路と、前記第１の補助絞り手段により圧力が調整された冷媒と前記第２の補助絞り手段により圧力が調整された冷媒とが混合した冷媒を前記圧縮手段の中間圧部に吸い込ませる戻し回路と、前記タンクから流出した冷媒を前記スプリット熱交換器の前記第２の流路に流し、前記スプリット熱交換器の前記第１の流路を流れる冷媒と熱交換させた後、前記第２の流路の下流側で分流した冷媒のうちの第３の冷媒を前記主絞り手段に流入させる主回路と、前記圧縮手段、前記補助圧縮手段、前記主絞り手段、前記圧力調整用絞り手段、前記第１の補助絞り手段、前記第２の補助絞り手段、前記第３の補助絞り手段、および、前記開閉弁の動作を制御する制御手段と、を備える構成を採る。
【発明の効果】
【０００９】
本発明によれば、二酸化炭素冷媒を使用する場合に冷凍能力を確保することができる。
【図面の簡単な説明】
【００１０】
【図１】本発明を適用した一実施例の冷凍装置の冷媒回路図
【図２】補助圧縮機を備えない冷凍装置の動作状態を示すＰ−Ｈ線図
【図３】冷凍装置の動作例１に係る動作状態を示すＰ−Ｈ線図
【図４】冷凍装置の動作例２に係る動作状態を示すＰ−Ｈ線図
【図５】図１とは別の構成を有する冷凍装置の冷媒回路図
【図６】図５に示した冷凍装置の動作状態を示すＰ−Ｈ線図
【図７】図１とは別の構成を有する冷凍装置の冷媒回路図
【図８】図７に示した冷凍装置の動作状態を示すＰ−Ｈ線図
【図９】図１とは別の構成を有する冷凍装置の冷媒回路図
【発明を実施するための形態】
【００１１】
以下、本発明の実施形態について、図面を参照して詳細に説明する。
【００１２】
（１）冷凍装置Ｒの構成
図１は、本発明を適用する一実施例にかかる冷凍装置Ｒの冷媒回路図である。本実施例における冷凍装置Ｒは、スーパーマーケット等の店舗の機械室等に設置された冷凍機ユニット３と、店舗の売り場内に設置された一台若しくは複数台（図面では一台のみ示す）のショーケース４とを備え、これら冷凍機ユニット３とショーケース４とが、ユニット出口６とユニット入口７を介して、冷媒配管（液管）８および冷媒配管９により連結されて所定の冷媒回路１を構成している。
【００１３】
この冷媒回路１は、高圧側の冷媒圧力がその臨界圧力以上（超臨界）となり得る二酸化炭素（Ｒ７４４）を冷媒として用いる。この二酸化炭素冷媒は、地球環境に優しく、可燃性および毒性等を考慮した自然冷媒である。また、潤滑油としてのオイルは、例えば鉱物油（ミネラルオイル）、アルキルベンゼン油、エーテル油、エステル油、ＰＡＧ（ポリアルキルグリコール）等、既存のオイルが使用される。図１に示す各矢印は、二酸化炭素冷媒の流れを示している。
【００１４】
冷凍機ユニット３は、圧縮機１１（圧縮手段の一例）を備える。圧縮機１１は、例えば、内部中間圧型２段圧縮式ロータリコンプレッサである。この圧縮機１１は、密閉容器１２と、回転圧縮機構部とを備えている。回転圧縮機構部は、密閉容器１２の内部空間の上部に収納された駆動要素としての電動要素１３、この電動要素１３の下側に配置された、第１の（低段側）回転圧縮要素（第１の圧縮要素）１４、および、第２の（高段側）回転圧縮要素（第２の圧縮要素）１６から成る。圧縮機１１は、同一の回転軸（電動要素１３の回転軸）により駆動される第１の回転圧縮要素１４および第２の回転圧縮要素１６を有する二段圧縮機である。このような二段圧縮機では、低段側と高段側の排除容積比率が決まっており、その排除容積比率に応じて中間圧（ＭＰ）が決定される。
【００１５】
圧縮機１１の第１の回転圧縮要素１４は、冷媒配管９を介して冷媒回路１の低圧側から圧縮機１１に吸い込まれる低圧冷媒を圧縮し、中間圧まで昇圧して吐出する。第２の回転圧縮要素１６は、第１の回転圧縮要素１４により吐出された中間圧の冷媒を吸い込み、圧縮して高圧まで昇圧し、冷媒回路１の高圧側に吐出する。圧縮機１１は、周波数可変型の圧縮機である。後述する制御装置５７は、電動要素１３の運転周波数を変更することで、第１の回転圧縮要素１４、および、第２の回転圧縮要素１６の回転数を制御する。
【００１６】
圧縮機１１の密閉容器１２の側面には、第１の回転圧縮要素１４に連通する低段側吸込口１７、密閉容器１２内に連通する低段側吐出口１８、第２の回転圧縮要素１６に連通する高段側吸込口１９、および、高段側吐出口２１が形成されている。圧縮機１１の低段側吸込口１７には、冷媒導入配管２２の一端が接続され、その他端はユニット入口７にて冷媒配管９に接続されている。
【００１７】
低段側吸込口１７より第１の回転圧縮要素１４の低圧部に吸い込まれた低圧の冷媒ガスは、当該第１の回転圧縮要素１４により１段目の圧縮が行われて中間圧に昇圧され、密閉容器１２内に吐出される。これにより、密閉容器１２内は中間圧（ＭＰ）となる。
【００１８】
そして、密閉容器１２内の中間圧の冷媒ガスが吐出される圧縮機１１の低段側吐出口１８には、中間圧吐出配管２３の一端が接続され、その他端はインタークーラ２４の入口に接続されている。このインタークーラ２４は、第１の回転圧縮要素１４から吐出された中間圧の冷媒を空冷する。インタークーラ２４の出口には、中間圧吸入配管２６の一端が接続される。中間圧吸入配管２６の他端は、圧縮機１１の高段側吸込口１９に接続される。
【００１９】
圧縮機１１の高段側吸込口１９から第２の回転圧縮要素１６に吸い込まれた中間圧（ＭＰ）の冷媒ガスは、第２の回転圧縮要素１６により２段目の圧縮が行われて、高温高圧の冷媒ガスとなる。
【００２０】
また、圧縮機１１の第２の回転圧縮要素１６の高圧室側に設けられた高段側吐出口２１には、高圧吐出配管２７の一端が接続され、その他端はガスクーラ（放熱器）２８の入口に接続されている。なお、図示は省略するが、高圧吐出配管２７の途中にはオイルセパレータ２０が設けられてもよい。オイルセパレータにより冷媒から分離されたオイルは、圧縮機１１の密閉容器１２内および補助圧縮機６０の密閉容器６１内に戻される。
【００２１】
ガスクーラ２８は、圧縮機１１から吐出された高圧の吐出冷媒を冷却する。ガスクーラ２８の近傍には、当該ガスクーラ２８を空冷するガスクーラ用送風機３１が配設されている。本実施形態では、ガスクーラ２８は、上述したインタークーラ２４と並設されており、これらは同一の風路に配設されている。
【００２２】
そして、ガスクーラ２８の出口にはガスクーラ出口配管３２の一端が接続され、このガスクーラ出口配管３２の他端は電動膨張弁３３（圧力調整用絞り手段の一例）の入口に接続されている。
【００２３】
電動膨張弁３３は、ガスクーラ２８の下流側であって電動膨張弁３９の上流側に位置する。この電動膨張弁３３は、ガスクーラ２８から出た冷媒を絞って膨張させるとともに、電動膨張弁３３から上流側の冷媒回路１の高圧側圧力の調整を行うためのものである。電動膨張弁３３の出口は、タンク入口配管３４を介してタンク３６の上部に接続されている。
【００２４】
タンク３６は、その内部に所定容積の空間を有する容積体である。タンク３６の下部には、タンク出口配管３７の一端が接続され、このタンク出口配管３７の他端がユニット出口６にて冷媒配管８に接続されている。このタンク出口配管３７の途中には、スプリット熱交換器２９の第２の流路２９Ｂが設けられる。このタンク出口配管３７が、本実施形態における主回路３８を構成する。タンク３６は、電動膨張弁３３の下流側であって電動膨張弁３９の上流側に位置する。スプリット熱交換器２９は、タンク３６の下流側であって電動膨張弁３９の上流側に位置する。
【００２５】
タンク３６の上部には、ガス配管４２の一端が接続されている。ガス配管４２の他端は、電動膨張弁４３（第１の補助回路用絞り手段の一例）の入口に接続されている。ガス配管４２は、タンク３６上部からガス冷媒を流出させ、電動膨張弁４３に流入させる。この電動膨張弁４３の出口には、中間圧戻り配管４４の一端が接続されている。中間圧戻り配管４４の他端は、圧縮機１１の中間圧部に繋がる中間圧吸入配管２６の途中に連通されている。
【００２６】
また、スプリット熱交換器２９の第２の流路２９Ｂの下流側において、液配管４６の一端がタンク出口配管３７に接続されている。液配管４６の他端は、電動膨張弁４３の下流側の中間圧戻り配管４４に接続されている。液配管４６の途中には、電動膨張弁４７（第２の補助回路用絞り手段の一例）が設けられている。
【００２７】
また、スプリット熱交換器２９の第２の流路２９Ｂの下流側において、分岐配管７１の一端がタンク出口配管３７に接続されている。分岐配管７１の他端は、補助圧縮機６０の吸入口６４に接続されている。なお、補助圧縮機６０の構成については後述する。
【００２８】
また、分岐配管７１の途中には、電動膨張弁７０（第３の補助回路用絞り手段の一例）が配置されている。また、分岐配管７１の途中には、電動膨張弁７０の下流側に、スプリット熱交換器２９の第１の流路２９Ａが設けられている。
【００２９】
また、分岐配管７１は、第１の流路２９Ａの下流側において、バイパス回路７３と接続している。バイパス回路７３の他端は、ガス配管４２に接続されている。また、バイパス回路７３には、電磁弁７４が設けられている。電磁弁７４は、制御装置５７により開状態または閉状態のいずれかに制御される。
【００３０】
スプリット熱交換器２９の第２の流路２９Ｂを通過した冷媒は、第２の流路２９Ｂの下流側において、３方向（電動膨張弁４７へ向かう第１の冷媒、電動膨張弁７０へ向かう第２の冷媒、電動膨張弁３９へ向かう第３の冷媒）に分流する。
【００３１】
上述した電動膨張弁４３（第１の補助回路用絞り手段）、電動膨張弁４７（第２の補助回路用絞り手段）、および電動膨張弁７０（第３の補助回路用絞り手段）が、本実施形態における補助絞り手段を構成する。また、分岐配管７１が、本実施形態における補助回路４８を構成する。また、中間圧戻り配管４４が、本実施形態における戻し回路８０を構成する。
【００３２】
店舗内に設置されるショーケース４は、冷媒配管８、９に接続される。ショーケース４には、電動膨張弁３９（主絞り手段の一例）と蒸発器４１とが設けられており、冷媒配管８と冷媒配管９との間に順次接続されている（電動膨張弁３９が冷媒配管８側、蒸発器４１が冷媒配管９側）。蒸発器４１の隣には、当該蒸発器４１に送風する冷気循環用送風機（図示略）が設けられている。そして、冷媒配管９は、上述したように冷媒導入配管２２を介して圧縮機１１の第１の回転圧縮要素１４に連通する低段側吸込口１７に接続されている。
【００３３】
冷凍機ユニット３は、補助圧縮機６０（補助圧縮手段の一例）を備える。補助圧縮機６０は、密閉容器６１と、この密閉容器６１の内部空間に収納された駆動要素としての電動要素６２と、この電動要素６２の回転軸により駆動される回転圧縮要素６３とを備えている。
【００３４】
密閉容器６１の側面には、回転圧縮要素６３に連通する吸込口６４および吐出口６５が形成されている。吸込口６４には分岐配管７１の一端が接続されている。また、吐出口６５は、配管７２の一端が接続されている。配管７２の他端は、高圧吐出配管２７に接続されている。
【００３５】
回転圧縮要素６３は、分岐配管７１から吸い込まれた冷媒を圧縮して高圧まで昇圧し、冷媒回路１の高圧側に吐出する。補助圧縮機６０は、周波数可変型の圧縮機である。後述する制御装置５７は、電動要素６２の運転周波数を変更することで、回転圧縮要素６３の回転数を制御する。
【００３６】
冷媒回路１の各所には種々のセンサが取り付けられている。
【００３７】
例えば、高圧吐出配管２７には、高圧センサ４９が取り付けられる。高圧センサ４９は、冷媒回路１の高圧側圧力ＨＰ（圧縮機１１の高段側吐出口２１と電動膨張弁３３の入口の間の圧力）を検出する。
【００３８】
また、例えば、冷媒導入配管２２には、低圧センサ５１が取り付けられる。低圧センサ５１は、冷媒回路１の低圧側圧力ＬＰ（電動膨張弁３９の出口と低段側吸込口１７の間の圧力）を検出する。
【００３９】
また、例えば、中間圧戻り配管４４には、中間圧センサ５２が取り付けられる。中間圧センサ５２は、冷媒回路の１の中間圧領域の圧力である中間圧ＭＰ（電動膨張弁４３、４７の出口より下流の中間圧戻り配管４４内の圧力であって、圧縮機１１の低段側吐出口１８と高段側吸込口１９との間の圧力に等しい圧力）を検出する。
【００４０】
また、例えば、スプリット熱交換器２９の下流側のタンク出口配管３７には、ユニット出口センサ５３が取り付けられている。このユニット出口センサ５３は、タンク３６内の圧力ＯＰを検出する。このタンク３６内の圧力は、冷凍機ユニット３から出て冷媒配管８から電動膨張弁３９に流入する冷媒の圧力となる。
【００４１】
上述した各センサは、マイクロコンピュータから構成された冷凍機ユニット３の制御装置５７（制御手段の一例）の入力に接続される。一方、制御装置５７の出力には、圧縮機１１の電動要素１３、補助圧縮機６０の電動要素６２、ガスクーラ用送風機３１、電動膨張弁３３、電動膨張弁４３、電動膨張弁４７、電動膨張弁７０、電動膨張弁３９、電磁弁７４が接続される。制御装置５７は、各センサからの検出結果と設定データ等に基づいて、出力側の各構成要素を制御する。
【００４２】
なお、以下では、ショーケース４側の電動膨張弁３９や上述した冷気循環用送風機も制御装置５７が制御するものとして説明するが、これらは店舗の主制御装置（図示略）を介し、制御装置５７と連携して動作するショーケース４側の制御装置（図示略）により制御されることとしてもよい。したがって、本実施形態における制御手段は、制御装置５７やショーケース４側の制御装置、上述した主制御装置等を含めた概念としてもよい。
【００４３】
（２）冷凍装置Ｒの動作
次に、冷凍装置Ｒの動作を説明する。制御装置５７により圧縮機１１の電動要素１３が駆動されると、第１の回転圧縮要素１４および第２の回転圧縮要素１６が回転し、低段側吸込口１７より第１の回転圧縮要素１４の低圧部に低圧の冷媒ガス（二酸化炭素）が吸い込まれる。そして、第１の回転圧縮要素１４により中間圧に昇圧されて密閉容器１２内に吐出される。これにより、密閉容器１２内は中間圧（ＭＰ）となる。
【００４４】
そして、密閉容器１２内の中間圧のガス冷媒は、低段側吐出口１８から中間圧吐出配管２３を経てインタークーラ２４に入り、インタークーラ２４において空冷される。
【００４５】
空冷されたガス冷媒は、インタークーラ２４から中間圧吸入配管２６へ流出し、その中間圧吸入配管２６において、中間圧戻り配管４４から中間圧吸入配管２６へ流入するガス冷媒（詳細は後述）と混合する。混合したガス冷媒は、圧縮機１１の高段側吸込口１９（中間圧部）に流入する。
【００４６】
高段側吸込口１９へ流入した中間圧のガス冷媒は、第２の回転圧縮要素１６に吸い込まれ、この第２の回転圧縮要素１６により２段目の圧縮が行われて高温高圧のガス冷媒となる。このガス冷媒は、高段側吐出口２１から高圧吐出配管２７に吐出される。
【００４７】
（２−１）電動膨張弁３３の制御
高圧吐出配管２７からガスクーラ２８へ流入したガス冷媒は、ガスクーラ２８にて空冷された後、ガスクーラ出口配管３２を経て電動膨張弁３３に至る。この電動膨張弁３３は、電動膨張弁３３より上流側の冷媒回路１の高圧側圧力ＨＰを所定の目標値ＴＨＰに制御するために設けられており、高圧センサ４９の出力に基づき、制御装置５７によりその弁開度が制御される。
【００４８】
（２−１−１）電動膨張弁３３の運転始動時の開度の設定
運転始動時には先ず、制御装置５７は外気温度に基づいて冷凍装置Ｒの始動時における電動膨張弁３３の開度（始動時の弁開度）を設定する。具体的には、本実施形態では、制御装置５７は、始動時における外気温度と電動膨張弁３３の始動時の弁開度との関係を示すデータテーブルを予め記憶しており、始動時における外気温度から、上記データテーブルを参照して、電動膨張弁３３の始動時の弁開度を設定する。
【００４９】
なお、外気温度は、例えば、外気温度センサ（図示略）により検出される。外気温度センサは、インタークーラ２４、ガスクーラ２８、ガスクーラ用送風機３１などが格納される室外機の内部、または、その近傍などに配置される。これに限らず、高圧センサ４９が検出する高圧側圧力ＨＰから制御装置５７が外気温度を検出するようにしてもよい（以下、同じ）。高圧センサ４９が検出する高圧側圧力ＨＰと外気温度との間には相関関係があるため、制御装置５７は高圧側圧力ＨＰから外気温度を判断することができる。具体的には、制御装置５７は、始動時における高圧側圧力ＨＰ（外気温度）と電動膨張弁３３の始動時の弁開度との関係を示すデータテーブルを予め記憶しており、始動時における外気温度を推定し、上記データテーブルを参照して、電動膨張弁３３の始動時の弁開度を設定する。
【００５０】
（２−１−２）運転中における電動膨張弁３３の開度の設定
運転中、制御装置５７は、外気温度を示す指標である高圧センサ４９の検出圧力（高圧側圧力ＨＰ）に基づいて、電動膨張弁３３の開度を設定する。この場合、制御装置５７は、高圧側圧力ＨＰ（外気温度）が低い場合に大きくなるよう電動膨張弁３３の開度を設定する。これにより、電動膨張弁３３における圧力低下を最小限に抑えることができ、圧縮機１１に入る中間圧吸入配管２６の中間圧（ＭＰ）との圧力差を確保して、冷凍運転および冷蔵運転を効率的に行うことができる。
【００５１】
ここで、制御装置５７は、高圧側圧力ＨＰ（外気温度）と電動膨張弁３３の開度との関係を示すデータテーブルを予め記憶しておき、それを参照することにより電動膨張弁３３の開度を設定してもよいし、当該開度を計算式から算出してもよい。
【００５２】
（２−１−３）高圧側圧力ＨＰの上限値ＭＨＰでの制御
なお、上述のように制御を行っているときに、設置環境や負荷の影響で電動膨張弁３３より上流側の高圧側圧力ＨＰが所定の上限値ＭＨＰに上昇してしまった場合、制御装置５７は電動膨張弁３３の弁開度をさらに増大させる。この弁開度の増大により、高圧側圧力ＨＰは低下する方向に向かうので、高圧側圧力ＨＰを常に上限値ＭＨＰ以下に維持することができるようになる。これにより、電動膨張弁３３より上流側の高圧側圧力ＨＰの異常上昇を的確に抑制して圧縮機１１の保護を確実に行うことが可能となり、異常な高圧による圧縮機１１の強制停止（保護動作）を未然に回避することが可能となる。
【００５３】
ここで、ガスクーラ２８から超臨界状態の冷媒ガスは、電動膨張弁３３で減圧されて気液二相の混合状態となり、タンク入口配管３４を経て上部からタンク３６内に流入する。タンク３６は、タンク入口配管３４から流入した液／ガスの冷媒を一旦貯留し、分離する役割と、冷凍装置Ｒの高圧側圧力（この場合は、タンク３６からタンク３６より上流側の圧縮機１１の高圧吐出配管２７までの領域）の圧力変化や冷媒循環量の変動を吸収する役割を果たす。
【００５４】
このタンク３６内の下部に溜まった液冷媒は、タンク３６からタンク出口配管３７（主回路３８）へ流出する。以下、タンク３６からタンク出口配管３７へ流出した冷媒の流れについて説明する。
【００５５】
タンク３６から流出した液冷媒は、スプリット熱交換器２９の第２の流路２９Ｂへ流入し、第２の流路２９Ｂにおいて第１の流路２９Ａを流れる冷媒により冷却（過冷却）される。その後、液冷媒は、冷凍機ユニット３から出て冷媒配管８から電動膨張弁３９に流入する。
【００５６】
電動膨張弁３９に流入した冷媒は、電動膨張弁３９で絞られて膨張することでさらに液分が増え、蒸発器４１に流入して蒸発する。これによる吸熱作用により冷却効果が発揮される。制御装置５７は、蒸発器４１の入口側と出口側の温度を検出する温度センサ（図示略）の出力に基づき、電動膨張弁３９の弁開度を制御して蒸発器４１における冷媒の過熱度を適正値に調整する。
【００５７】
蒸発器４１から出た低温のガス冷媒は、冷媒配管９から冷凍機ユニット３に戻り、冷媒導入配管２２を経て、圧縮機１１の第１の回転圧縮要素１４に連通する低段側吸込口１７に吸い込まれる。以上が主回路３８における冷媒の流れである。
【００５８】
（２−２）電動膨張弁４３の制御
戻し回路８０における冷媒の流れを説明する。タンク３６内の上部に溜まるガス冷媒は、電動膨張弁３３の減圧により温度が低下している。このガス冷媒は、タンク３６からガス配管４２へ流出する。上述したようにガス配管４２には電動膨張弁４３が接続されている。ガス冷媒は、電動膨張弁４３で絞られた後、中間圧戻り配管４４へ流入し、電動膨張弁４７を経た冷媒と混合する。そして、その冷媒は、中間圧戻り配管４４から中間圧吸入配管２６に流入し、インタークーラ２４から出た冷媒と混合し、圧縮機１１の高段側吸込口１９に吸い込まれる。
【００５９】
電動膨張弁４３は、タンク３６の上部から流出する冷媒を絞る機能の他に、タンク３６内の圧力（電動膨張弁３９に流入する冷媒の圧力）を所定の目標値ＳＰに調整する役割を果たす。そして、制御装置５７は、ユニット出口センサ５３の出力に基づき、電動膨張弁４３の弁開度を制御する。電動膨張弁４３の弁開度が増大すれば、タンク３６内からのガス冷媒の流出量が増大し、タンク３６内の圧力は低下するからである。
【００６０】
本実施形態では、目標値ＳＰは高圧側圧力ＨＰよりも低く、中間圧ＭＰよりも高い値に設定されている。そして、制御装置５７は、ユニット出口センサ５３が検出するタンク３６内の圧力ＯＰ（電動膨張弁３９に流入する冷媒の圧力）と目標値ＳＰの差から電動膨張弁３９の弁開度の調整値（ステップ数）を算出し、後述する始動時の弁開度に加算してタンク３６内の圧力ＯＰを目標値ＳＰに制御する。すなわち、タンク３６内の圧力ＯＰが目標値ＳＰより上昇した場合には、電動膨張弁４３の弁開度を増大させてタンク３６内からガス冷媒をガス配管４２に流出させ、逆に目標値ＳＰより降下した場合には、弁開度を縮小させて閉じる方向に制御する。
【００６１】
（２−２−１）電動膨張弁４３の運転始動時の開度の設定
制御装置５７は、外気温度、または、外気温度を示す指標である高圧センサ４９の検出圧力（高圧側圧力ＨＰ）に基づいて、冷凍装置Ｒの始動時における電動膨張弁４３の弁開度（始動時の弁開度）を設定する。本実施形態の場合、制御装置５７は始動時における外気温度、または、高圧側圧力ＨＰ（外気温度）と電動膨張弁４３の始動時の弁開度との関係を示すデータテーブルを予め記憶している。
【００６２】
そして、制御装置５７は、始動時における外気温度、または、検出圧力（高圧側圧力ＨＰ）から、上記データテーブルに基づいて高圧側圧力ＨＰ（外気温度）が高い程増大し、逆に高圧側圧力ＨＰが低い程減少するよう電動膨張弁４３の始動時の弁開度を設定する。これにより、外気温度が高い環境での始動時におけるタンク３６内圧力の上昇を抑制し、電動膨張弁３９に流入する冷媒の圧力上昇を防止することが可能となる。
【００６３】
なお、本実施形態では、タンク３６内の圧力ＯＰの目標値ＳＰを固定して制御するが、電動膨張弁３３の場合と同様に、外気温度、または、外気温度を示す指標である高圧センサ４９の検出圧力（高圧側圧力ＨＰ）に基づいて目標値ＳＰを設定するようにしてもよい。この場合には、制御装置５７は、外気温度、または、高圧側圧力ＨＰが高い程高くなる。そのため、外気温度が高い環境では電動膨張弁３９に流入する冷媒の圧力の運転中における目標値ＳＰが高くなる。
【００６４】
すなわち、高い外気温度の影響で圧力が高くなる状況では、中間圧ＭＰが高くなるので、電動膨張弁４３の弁開度が大きくなっても戻し回路８０に冷媒が流れにくくなる不都合を防止することができるようになる。逆に、電動膨張弁４３の弁開度を小さくすることで、戻し回路８０に流入する冷媒量を減少させ、ユニット出口６における冷媒の圧力が低下する不都合を防止することができるようになる。これらにより、季節の移り変わりに伴う外気温度の変化に関わらず、電動膨張弁４３の弁開度を適切に制御して、ユニット出口６における冷媒の圧力の変化を抑えることができ、冷媒量を的確に調整することができる。
【００６５】
（２−２−２）タンク内圧力ＯＰの規定値ＭＯＰでの制御
なお、上述のように制御を行っているときに、設置環境や負荷の影響でタンク３６内圧力ＯＰ（電動膨張弁３９に流入する冷媒の圧力）が所定の規定値ＭＯＰに上昇してしまった場合、制御装置５７は、電動膨張弁４３の弁開度を所定ステップ増大させる。この弁開度の増大により、タンク３６内圧力ＯＰは低下する方向に向かうので、圧力ＯＰを常に規定値ＭＯＰ以下に維持することができるようになり、高圧側圧力変動の影響抑制と、電動膨張弁３９に搬送される冷媒の圧力の抑制効果を確実に達成することが可能となる。
【００６６】
（２−３）電動膨張弁４７の制御
戻し回路８０における冷媒の流れを説明する。タンク３６内の下部に溜まる液冷媒は、タンク３６からタンク出口配管３７へ流入し、第２の流路２９Ｂを通過後、分流する。分流した液冷媒のうちの１つは、液配管４６へ流入し、電動膨張弁４７で絞られる。その後、液冷媒は、中間圧戻り配管４４へ流入し、電動膨張弁４３を経た冷媒と混合する。そして、その冷媒は、中間圧戻り配管４４から中間圧吸入配管２６に流入し、インタークーラ２４から出た冷媒と混合し、圧縮機１１の高段側吸込口１９に吸い込まれる。
【００６７】
電動膨張弁４７の弁開度は、制御装置５７により設定される。例えば、制御装置５７は、圧縮機１１の高段側吐出口２１から吐出される冷媒の温度（吐出温度）が目標値よりも高い場合、電動膨張弁４７を開状態に設定する。なお、吐出温度は、図示しない吐出温度センサにより検出され、制御装置５７へ入力される。
【００６８】
（３−１）電動膨張弁７０および電磁弁７４の制御
本実施形態では、制御装置５７により電動膨張弁７０および電磁弁７４の開閉が制御されることで、タンク３６から流出する冷媒の流れを切り替えることができる。以下、動作例１と動作例２のそれぞれについて説明する。
【００６９】
＜動作例１＞
本動作例では、制御装置５７によって、電動膨張弁７０が閉状態（弁開度がゼロの状態）に設定され、かつ、電磁弁７４が開状態に設定される（第１の設定の一例）。この場合にタンク３６から流出する冷媒の流れは、以下の通りとなる。
【００７０】
タンク３６からタンク出口配管３７に流入した冷媒は、スプリット熱交換器２９の第２の流路２９Ｂを通過した後、電動膨張弁７０が閉状態であることから分岐配管７１を流れずに、電動膨張弁４７および電動膨張弁３９のそれぞれに流入する。
【００７１】
また、タンク３６からガス配管４２に流入した冷媒は、ガス配管４２において分流する。
【００７２】
ガス配管４２において分流した冷媒のうちの一方は、上述したとおり、電動膨張弁４３で絞られた後、中間圧戻り配管４４へ流入して電動膨張弁４７を経た冷媒と混合し、中間圧戻り配管４４から中間圧吸入配管２６に流入する。その後、その冷媒は、インタークーラ２４からの冷媒と混合し、中間圧吸入配管２６から圧縮機１１の高段側吸込口１９へ吸い込まれる。吸入された冷媒は、第２の回転圧縮要素１６により圧縮され、高温高圧のガス冷媒となる。そして、高温高圧となった冷媒は、高段側吐出口２１から吐出され、高圧吐出配管２７へ流入する。
【００７３】
ガス配管４２において分流した冷媒のうちのもう一方は、バイパス回路７３へ流入し、開状態の電磁弁７４を通過し、分岐配管７１へ流入する。その後、その冷媒は、分岐配管７１から補助圧縮機６０の吸入口６４へ吸い込まれる。そして、制御装置５７により補助圧縮機６０の電動要素６２が駆動されると、回転圧縮要素６３が回転する。これにより、吸入された冷媒は、回転圧縮要素６３により圧縮され、高温高圧のガス冷媒となる。そして、高温高圧となった冷媒は、吐出口６５から配管７２を介して高圧吐出配管２７に流入し、圧縮機１１の高段側吐出口２１から吐出された冷媒と混合する。
【００７４】
次に、本動作例により得られる効果について、図２、図３を用いて説明する。
【００７５】
図２は、高温期の環境における補助圧縮機を備えない冷凍装置の動作状態を示すＰ−Ｈ線図である。この冷凍装置は、例えば、図１の構成から補助圧縮機６０、電動膨張弁７０、分岐配管７１、配管７２、バイパス回路７３、電磁弁７４を除き、かつ、中間圧戻り配管４４の途中にスプリット熱交換器２９の第１の流路２９Ａが設けられる構成である。一方、図３は、高温期の環境における冷凍装置Ｒの動作状態を示すＰ−Ｈ線図である。なお、高温期の環境とは、例えば、外気温度が摂氏３２度程度の環境（例えば、夏季）である。
【００７６】
図２、図３において、Ｘ１からＸ２に向かう線、Ｘ３からＸ４に向かう線、Ｘ５からＸ６に向かう線、および、Ｘ３からＸ８に向かう線は、それぞれ、電動膨張弁３３、電動膨張弁３９、電動膨張弁４３、および、電動膨張弁４７による減圧を示している。また、Ｘ５から斜め上方に向かう線は補助圧縮機６０による昇圧を示しており、Ｘ１１から斜め上方に向かう線は圧縮機１１による昇圧を示している。
【００７７】
また、図２、図３において、Ｘ９は、電動膨張弁４３を経た冷媒と電動膨張弁４７を経た冷媒とが混合する際の比エンタルピー／圧力を示している。Ｘ１１は、中間圧吸入配管２６を流れる冷媒が圧縮機１１の高段側吸込口１９に流入する際の比エンタルピー／圧力を示している。なお、図３のＸ５は、補助圧縮機６０の吸込口６４に流入する際の比エンタルピー／圧力を示している。
【００７８】
上述したとおり、同一の回転軸により第１の回転圧縮要素と第２の回転圧縮要素とが駆動される二段圧縮機では、低段側と高段側の排除容積比率が決まっており、その排除容積比率に応じて中間圧が決定される。よって、高段側のみの冷媒の吸込量（排除容積）を増やして中間圧を低下させることはできなかった。
【００７９】
これに対し、本実施形態の冷凍装置Ｒでは、二段圧縮機である圧縮機１１とは別に補助圧縮機６０を備え、バイパス回路７３の電磁弁７４を開状態にすることにより、高段側のみにおいて冷媒の吸込量（排除容積）を増やしている。これにより、圧縮機１１における排除容積比率が決まっていても、中間圧を低下させることができる。
【００８０】
そして、図２と図３の比較から明らかなように、中間圧を低下させることにより、タンク３６内圧力ＯＰ（Ｘ３のときの圧力）を低下させることができる。これにより、タンク３６の出口の比エンタルピーを低下させることができ、冷凍能力を確保することができる。また、高温期の環境においてタンク３６内圧力ＯＰが臨界圧力ＣＰを超えることを防止でき、気液分離を行うことができる。また、所定の高い圧力値（異常な高圧）で圧縮機１１を強制的に停止する保護制御（例えば、中圧カット、脱調等）を回避でき、安定した冷凍装置Ｒの運転を実現できる。
【００８１】
＜動作例２＞
本動作例では、制御装置５７によって、電動膨張弁７０が開状態（弁開度がゼロより大きい状態）に設定され、かつ、電磁弁７４が閉状態に設定される（第２の設定の一例）。この場合にタンク３６から流出する冷媒の流れは、以下の通りとなる。
【００８２】
タンク３６からガス配管４２に流入した冷媒は、電磁弁７４が閉状態であるためバイパス回路７３を流れず、電動膨張弁４３に流入する。そして、冷媒は、上述したとおり、電動膨張弁４３で絞られた後、中間圧戻り配管４４へ流入して電動膨張弁４７を経た冷媒と混合し、中間圧戻り配管４４から中間圧吸入配管２６に流入する。その後、その冷媒は、インタークーラ２４からの冷媒と混合し、中間圧吸入配管２６から圧縮機１１の高段側吸込口１９へ吸い込まれる。吸入された冷媒は、第２の回転圧縮要素１６により圧縮され、高温高圧のガス冷媒となる。そして、高温高圧となった冷媒は、高段側吐出口２１から吐出され、高圧吐出配管２７へ流入する。
【００８３】
また、タンク３６からタンク出口配管３７に流入した冷媒は、スプリット熱交換器２９の第２の流路２９Ｂを通過した後、３つに分流する。
【００８４】
第２の流路２９Ｂの通過後に３つに分流した冷媒のうちの１つは、電動膨張弁３９に流入する。
【００８５】
また、第２の流路２９Ｂの通過後に３つに分流した冷媒のうちの１つは、液配管４６へ流入し、電動膨張弁４７で絞られた後、中間圧戻り配管４４へ流入し、電動膨張弁４３を経た冷媒と混合する。
【００８６】
また、第２の流路２９Ｂの通過後に分流した冷媒のうちの１つは、電動膨張弁７０へ流入し、電動膨張弁７０で絞られた後、スプリット熱交換器２９の第１の流路２９Ａに流入し、そこで蒸発する。このときの吸熱作用により、第２の流路２９Ｂを流れる冷媒の過冷却を増大させる。そして、第１の流路２９Ａを通過した冷媒は、分岐配管７１から補助圧縮機６０の吸入口６４へ吸い込まれる。そして、制御装置５７により補助圧縮機６０の電動要素６２が駆動されると、回転圧縮要素６３が回転する。これにより、吸入された冷媒は、回転圧縮要素６３により圧縮され、高温高圧のガス冷媒となる。そして、高温高圧となった冷媒は、吐出口６５から配管７２を介して高圧吐出配管２７に流入し、圧縮機１１の高段側吐出口２１から吐出された冷媒と混合する。
【００８７】
本動作例において、制御装置５７は、電動膨張弁７０を開状態に制御することにより、スプリット熱交換器２９の第１の流路２９Ａに流す液冷媒の量を調整する。ここで、本動作例における電動膨張弁７０の弁開度の制御の例について説明する。
【００８８】
例えば、制御装置５７は、まず、ショーケース４の温度に基づいて、スプリット熱交換器２９の第２の流路２９Ｂの出口の温度（以下、出口温度という。例えば、後述する図４のＸ３における温度）を決定する。次に、制御装置５７は、出口温度より低い温度として、スプリット熱交換器２９において冷媒を蒸発させる温度（以下、蒸発温度という。例えば、後述する図４のＸ１３における温度）を決定する。そして、制御装置５７は、第１の流路２９Ａの冷媒の温度が蒸発温度になるように電動膨張弁７０の弁開度を設定する。
【００８９】
次に、本動作例により得られる効果について、図４を用いて説明する。
【００９０】
図４は、高温期の環境における冷凍装置Ｒの動作状態を示すＰ−Ｈ線図である。高温期の環境とは、例えば、外気温度が摂氏３２度程度の環境（例えば、夏季）である。
【００９１】
図４において、図２、図３と同一の要素については、同一符号を付している。Ｘ３からＸ１３に向かう線は、電動膨張弁７０による減圧を示している。点線Ｌ１は、電動膨張弁７０にて絞られた冷媒が電動膨張弁７０から流出し、補助圧縮機６０による圧縮を経て高圧吐出配管２７へ流入するまでの比エンタルピー／圧力を示している。
【００９２】
図３と図４に示すＸ２からＸ３に向かう線から明らかなように、本動作例では、過冷却度をより多く確保することができるので、冷凍能力を確保することができる。ただし、本動作例では、中間圧が圧縮機１１の排除容積比で固定されるため、例えば、外気温が高温であったり、ショーケース４の冷却条件が中温帯に設定されたりする場合に中間圧が上昇すると、保護制御（例えば、中圧カット、脱調等）が必要となる。
【００９３】
（３−２）動作例１と動作例２の切替制御
例えば、制御装置５７は、ユーザにより行われる操作（動作例１と動作例２のいずれを実行するかを指示する操作）に応じて、動作例１または動作例２のいずれかを実行するように制御してもよい。
【００９４】
または、例えば、制御装置５７は、通常は動作例２を実行するように制御し、中間圧センサ５２より検出された中間圧ＭＰが予め設定された閾値よりも高くなった場合、動作例２から動作例１へ切り替えるように制御してもよい。これにより、保護制御を行うことなく、中間圧を低下させることができる。
【００９５】
なお、制御装置５７は、外気温度やショーケース４の冷却条件等に応じて、動作例１と動作例２の切り替えを行うようにしてもよい。
【００９６】
以上、動作例１および動作例２について説明した。なお、本実施形態の冷凍装置Ｒは、上述した動作例１により得られる効果および動作例２により得られる効果のほか、以下の効果を得ることができる。
【００９７】
本実施形態の冷凍装置Ｒでは、ショーケース４に送る冷媒の圧力を低下させているため、配管の設計圧力を低くでき、肉厚の薄い管を使うことが可能となる。
【００９８】
また、本実施形態の冷凍装置Ｒでは、タンク３６に液冷媒を保持し、その量を連続的に変えられるため、冷凍回路１を循環する冷媒の量を安定して適正量に維持できる。
【００９９】
また、本実施形態の冷凍装置Ｒでは、エコノマイザとして機能するタンク３６、電動膨張弁４３、４７、スプリット熱交換器２９を備えることにより、必要な過冷却度を確保することができる。
【０１００】
本実施形態では、図１に示した冷凍装置Ｒの構成について説明をしたが、冷凍装置Ｒの構成は図１に示すものに限定されない。以下、冷凍装置Ｒの別の構成例について説明する。
【０１０１】
（４）冷凍装置Ｒの別の構成例１
図５は、図１とは別の構成を有する冷凍装置Ｒの冷媒回路図である。なお、図５において、図１と同一の構成要素には同一の符号を付し、以下、それらの説明は省略する。
【０１０２】
図５に示す冷凍装置Ｒは、図１に示したバイパス回路７３において、電磁弁７４の代わりに、電動膨張弁７５を備える。
【０１０３】
本動作例において、制御装置５７は、電動膨張弁７０および電動膨張弁７５を開状態（弁開度がゼロより大きい状態）に設定する（第３の設定の一例）。
【０１０４】
電動膨張弁７０の弁開度は、例えば、以下のように設定される。まず、制御装置５７は、ショーケース４の温度に基づいて、スプリット熱交換器２９の第２の流路２９Ｂの出口温度（例えば、後述する図６のＸ３における温度）を決定する。次に、制御装置５７は、出口温度より低い温度として、スプリット熱交換器２９において冷媒を蒸発させる蒸発温度（例えば、後述する図６のＸ１５における温度）を決定する。そして、制御装置５７は、第１の流路２９Ａの冷媒の温度が蒸発温度になるように電動膨張弁７０の弁開度を設定する。
【０１０５】
電動膨張弁７５の弁開度は、例えば、以下のように設定される。制御装置５７は、中間圧センサ５２により検出される中間圧および補助圧縮機６０から吐出される冷媒の温度（以下、吐出冷媒温度という。図示しないセンサにより検出される）に基づいて、電動膨張弁７５の弁開度を設定する。例えば、制御装置５７は、検出された中間圧が目標値よりも高く、かつ、検出された吐出冷媒温度が目標値よりも低い場合、電動膨張弁７５を閉状態に制御する。
【０１０６】
次に、本構成例の動作により得られる効果について、図６を用いて説明する。
【０１０７】
図６は、高温期の環境における冷凍装置Ｒの動作状態を示すＰ−Ｈ線図である。高温期の環境とは、例えば、外気温度が摂氏３２度程度の環境（例えば、夏季）である。
【０１０８】
図６において、図２、図３と同一の要素については、同一符号を付している。Ｘ３からＸ１５に向かう線は、電動膨張弁７０による減圧を示している。点線Ｌ２は、電動膨張弁７０にて絞られた冷媒が電動膨張弁７０から流出し、補助圧縮機６０による圧縮を経て高圧吐出配管２７へ流入するまでの比エンタルピー／圧力を示している。
【０１０９】
図３（動作例１）と図６を比較すると明らかなように、本構成例の動作では、動作例１に比べて、中間圧は高くなるが、過冷却度を確保できる。また、図４（動作例２）と図６を比較すると明らかなように、本構成例の動作では、動作例２に比べて、過冷却度は確保できないが、中間圧を低くできる。
【０１１０】
（５）冷凍装置Ｒの別の構成例２
図７は、図１とは別の構成を有する冷凍装置Ｒの冷媒回路図である。なお、図７において、図１と同一の構成要素には同一の符号を付し、以下、それらの説明は省略する。
【０１１１】
図７に示す冷凍装置Ｒは、図１に示した構成に加えて、バイパス回路８２および電磁弁８１を備える。バイパス回路８２の一端は冷媒導入配管２２に接続され、バイパス回路８２の他端は補助圧縮機６０の吸込口６４に接続されている。
【０１１２】
また、このバイパス回路８２の途中には、電磁弁８１が設けられている。電磁弁８１の開閉は、制御装置５７により制御される。例えば、制御装置５７は、外気温度（高圧側圧力ＨＰ）と電磁弁８１の開閉との関係を示すデータテーブルを予め記憶しており、外気温度を推定し、上記データテーブルを参照して、電磁弁８１の開閉を設定する。なお、電磁弁８１の代わりに、逆止弁を設けてもよい。
【０１１３】
例えば、制御装置５７は、外気温度が摂氏３２度程度の場合（高温期の環境。例えば、夏季）、電磁弁８１を閉状態にするとともに、圧縮機１１および補助圧縮機６０を駆動させる。これにより、上述した動作例１または動作例２で説明したとおり、冷媒が循環する。
【０１１４】
一方、例えば、制御装置５７は、外気温度が摂氏２０度以下の場合（低温期の環境。例えば、冬季）、電磁弁８１を開状態にするとともに、圧縮機１１を駆動させず、補助圧縮機６０を駆動させる。また、制御装置５７は、電動膨張弁３３の弁開度を最も大きくし、かつ、電動膨張弁４３、電動膨張弁４７、電動膨張弁７０を閉める。
【０１１５】
これにより、蒸発器４１を出た冷媒は、バイパス回路８２へ流入し、補助圧縮機６０の吸込口６４へ吸い込まれる。そして、補助圧縮機６０にて圧縮された冷媒は、吐出口６５から高圧吐出配管２７へ吐出される。その後、冷媒は、ガスクーラ２８、電動膨張弁３３、タンク３６、タンク出口配管３７、スプリット熱交換器２９の第２の流路２９Ｂ、電動膨張弁３９、蒸発器４１の順に流れ、再びバイパス回路８２へと流入する。
【０１１６】
冷媒がバイパス回路８２を流れる場合のＰ−Ｈ線図を図８に示す。図８に示す各符号は、図２、図３と同様である。図８に示すように、冷媒の圧縮は、補助圧縮機６０による１段のみとなる。
【０１１７】
以上説明したように、本構成例によれば、冷却負荷が減少する環境（低温期）の場合、二段圧縮機である圧縮機１１を使用せず、補助圧縮機６０のみを使用するため、消費エネルギを低減できる。
【０１１８】
なお、上記バイパス回路８２と電磁弁８１（または逆止弁）は、図５に示す構成に追加されてもよい。
【０１１９】
（６）冷凍装置Ｒの別の構成例３
図９は、図１とは別の構成を有する冷凍装置Ｒの冷媒回路図である。なお、図９は、図１の図示を簡略化したものであり、図１と同一の構成要素には同一の符号を付し、以下、それらの説明は省略する。
【０１２０】
図９に示す冷凍装置Ｒは、図１に示した構成に加えて、圧縮機１１ａを備える。圧縮機１１ａは、圧縮機１１と並列に設けられた二段圧縮機であり、圧縮機１１と同様の構成を備える。
【０１２１】
図９に示す冷凍装置Ｒでは、蒸発器４１からの冷媒は、圧縮機１１と圧縮機１１ａのそれぞれに吸い込まれる。また、インタークーラ２４からの冷媒と中間圧戻り配管４４からの冷媒が混合した冷媒は、圧縮機１１、圧縮機１１ａのそれぞれに吸い込まれる。
【０１２２】
なお、図９では、電動膨張弁３９、ショーケース４、および蒸発器４１のそれぞれを１つずつ設ける構成としたが、電動膨張弁３９、ショーケース４、および蒸発器４１のそれぞれを複数設ける構成としてもよい。例えば、１つの電動膨張弁３９、１つのショーケース４、および１つの蒸発器４１を一組とし、その組を並列に設ける構成にする。
【０１２３】
なお、上記圧縮機１１ａは、図５に示す構成に追加されてもよい。
【０１２４】
（７）冷凍装置Ｒの別の構成例４
図１、図５、図７、図９に示した構成では、補助圧縮機６０を１つだけ設ける構成としたが、補助圧縮機６０を複数設けてもよい。その場合、分岐配管７１からの冷媒は、複数の補助圧縮機６０のそれぞれに吸い込まれる。
【０１２５】
以上説明したように、本実施形態では、同一の回転軸により駆動される第１の回転圧縮要素１４と第２の回転圧縮要素１６を有する圧縮機１１（圧縮手段）と、ガスクーラ２８と、電動膨張弁（主絞り手段）３９と、蒸発器４１とから冷媒回路１が構成され、二酸化炭素冷媒が用いられる冷凍装置Ｒにおいて、圧縮機１１とは別に設けられた補助圧縮機６０（補助圧縮手段）と、ガスクーラ２８の下流側であって、電動膨張弁３９の上流側の冷媒回路１に接続され、ガスクーラ２８から流出した冷媒の圧力を調整する電動膨張弁３３（圧力調整用絞り手段）と、電動膨張弁３３の下流側であって、電動膨張弁３９の上流側の冷媒回路１に接続されたタンク３６と、タンク３６の下流側であって、電動膨張弁３９の上流側の冷媒回路１に設けられ、第１の流路２９Ａと第２の流路２９Ｂを有するスプリット熱交換器２９と、タンク３６の第１の高さに設けられたガス配管４２（第１の配管）から流出した冷媒の圧力を調整する電動膨張弁４３（第１の補助絞り手段）と、第１の高さよりも低い位置に設けられたタンク出口配管３７（第２の配管）から流出し、スプリット熱交換器２９の第２の流路２９Ｂを通過した後、第２の流路２９Ｂの下流側で分流した冷媒のうちの第１の冷媒の圧力を調整する電動膨張弁４７（第２の補助絞り手段）と、タンク出口配管３７から流出し、スプリット熱交換器２９の第２の流路２９Ｂを通過した後、第２の流路２９Ｂの下流側で分流した冷媒のうちの第２の冷媒の圧力を調整する電動膨張弁７０（第３の補助絞り手段）と、電動膨張弁７０およびスプリット熱交換器２９の第１の流路２９Ａを経た冷媒を補助圧縮機６０に吸入させる補助回路４８と、電磁弁７４または電動膨張弁７５（開閉弁）が設けられ、ガス配管４２から流出した冷媒を補助回路４８におけるスプリット熱交換器２９の第１の流路２９Ａの下流側へ流入させるバイパス回路７３（第１のバイパス回路）と、電動膨張弁４３により圧力が調整された冷媒と電動膨張弁４７により圧力が調整された冷媒とが混合した冷媒を圧縮機１１の中間圧部に吸い込ませる戻し回路８０と、タンク３６から流出した冷媒をスプリット熱交換器２９の第２の流路２９Ｂに流し、スプリット熱交換器２９の第１の流路２９Ａを流れる冷媒と熱交換させた後、第２の流路２９Ｂの下流側で分流した冷媒のうちの冷媒を電動膨張弁３９に流入させる主回路３８と、圧縮機１１、補助圧縮機６０、電動膨張弁３９、電動膨張弁３３、電動膨張弁４３、電動膨張弁４７、電動膨張弁７０、および、電磁弁７４または電動膨張７５の動作を制御する制御装置５７（制御手段）と、を備えることとした。
【０１２６】
これにより、二酸化炭素冷媒を使用する場合において、中間圧部における冷媒の吸込量（排除容積）を増加させることができ、圧縮機１１における排除容積比率が決まっていても、中間圧を低下させることができる。その結果、タンク３６の出口の比エンタルピーを低下させることができ、冷凍能力を確保することができる。
【０１２７】
また、制御装置５７は、電動膨張弁７０を閉状態にし、かつ、電磁弁７４を開状態にする第１の設定と、電動膨張弁７０を開状態し、かつ、電磁弁７４を閉状態にする第２の設定とを切り替えるようにした。
【０１２８】
また、制御装置５７は、電動膨張弁７０を開状態にし、かつ、電動膨張弁７５を開状態にする第３の設定を行うようにした。
【０１２９】
また、冷凍装置Ｒは、補助圧縮機６０と、蒸発器４１の下流側かつ圧縮機１１の上流側に設けられた冷媒導入配管２２とを接続するバイパス回路８２（第２のバイパス回路）をさらに備え、バイパス回路８２には、逆止弁、または、制御装置５７により開閉が制御される電磁弁８１が設けられることとした。
【０１３０】
これにより、冷却負荷が減少する環境（低温期）の場合、消費エネルギを低減できる。
【０１３１】
また、冷凍装置Ｒは、補助圧縮機６０の回転数は可変であることとした。
【０１３２】
また、冷凍装置Ｒは、複数の補助圧縮機６０を備え、複数の補助圧縮機６０には、補助回路４８を流れた冷媒が吸い込まれることとした。
【０１３３】
また、冷凍装置Ｒは、互いに並列に設けられた複数の圧縮機１１、１１ａを備え、複数の圧縮機１１、１１ａの中間圧部には、電動膨張弁４３により圧力が調整された冷媒と電動膨張弁４７により圧力が調整された冷媒とが混合した冷媒が吸い込まれることとした。
【０１３４】
以上本発明の実施形態について説明したが、本発明は上記実施形態に限定されるものではなく、本発明の趣旨を逸脱しない範囲で種々の変更が可能である。
【０１３５】
２０１６年２月８日出願の特願２０１６−０２２１２４の日本出願に含まれる明細書、図面および要約書の開示内容は、すべて本願に援用される。
【産業上の利用可能性】
【０１３６】
本発明は、圧縮手段と、ガスクーラと、主絞り手段と、蒸発器とから冷媒回路が構成される冷凍装置に用いるのに好適である。
【符号の説明】
【０１３７】
Ｒ  冷凍装置
１  冷媒回路
３  冷凍機ユニット
４  ショーケース
６  ユニット出口
７  ユニット入口
８、９  冷媒配管
１１、１１ａ  圧縮機
１２、６１  密閉容器
１３、６２  電動要素
１４  第１の回転圧縮要素
１６  第２の回転圧縮要素
１７  低段側吸込口
１８  低段側吐出口
１９  高段側吸込口
２１  高段側吐出口
２２  冷媒導入配管
２３  中間圧吐出配管
２４  インタークーラ
２６  中間圧吸入配管
２７  高圧吐出配管
２８  ガスクーラ
２９  スプリット熱交換器
２９Ａ  第１の流路
２９Ｂ  第２の流路
３１  ガスクーラ用送風機
３２  ガスクーラ出口配管
３３  電動膨張弁（圧力調整用絞り手段）
３４  タンク入口配管
３６  タンク
３７  タンク出口配管（第３の配管）
３８  主回路
３９  電動膨張弁（主絞り手段）
４１  蒸発器
４２  ガス配管（第１の配管）
４３  電動膨張弁（第１の補助回路用絞り手段）
４４  中間圧戻り配管
４６  液配管（第２の配管）
４７  電動膨張弁（第２の補助回路用絞り手段）
４８  補助回路
４９  高圧センサ
５１  低圧センサ
５２  中間圧センサ
５３  ユニット出口センサ
５７  制御装置（制御手段）
６０  補助圧縮機
６３  回転圧縮要素
６４  吸込口
６５  吐出口
７０  電動膨張弁（第３の補助回路用絞り手段）
７１  分岐配管（第４の配管）
７２  配管
７３  バイパス回路（第１のバイパス回路）
７４、８１  電磁弁
７５  電動膨張弁
８２  バイパス回路（第２のバイパス回路）
【図１】
2017138419.tif 000003
【図２】
2017138419.tif 000004
【図３】
2017138419.tif 000005
【図４】
2017138419.tif 000006
【図５】
2017138419.tif 000007
【図６】
2017138419.tif 000008
【図７】
2017138419.tif 000009
【図８】
2017138419.tif 000010
【図９】
2017138419.tif 000011
【国際調査報告】
2017138419.tif 000012
2017138419.tif 000013
2017138419.tif 000014
2017138419.tif 000015